(57)【特許請求の範囲】
【請求項１】
無段式に調節可能な円錐形ディスク式巻掛け伝動装置のためのリンクプレートチェーンであって、当該リンクプレートチェーンのリンクプレートが、チェーンの長手方向で互いにずらされて配置されたリンクプレートの、互いにオーバラップする切欠き内に押し込まれた、それぞれ対で配置されたクレードルピンを介して互いにジョイント式に結合されており、両クレードルピンの、互いに反対の側に位置する面が、切欠きの内縁部に形状接続的に係合しており、両クレードルピンの、互いに向かい合って位置する面が、転がり面を形成しており、両転がり面が、当該リンクプレートチェーンの曲がり時に互いに転がり合うようになっており、円錐形ディスクの円錐面に接触するためのクレードルピンの、リンクプレートから側方で突出する端面が設けられており、当該リンクプレートチェーンからのクレードルピンの側方への落下が防止されている形式のものにおいて、当該リンクプレートチェーンからのクレードルピンの側方への落下を防止するための付加的な位置固定構成部分が設けられており、クレードルピン対の前記両クレードルピンの、互いに向かい合って位置する前記面の、側方で最外の前記リンクプレートから突出する端部領域に、前記リンクプレートチェーンの横方向で延びる溝が形成されており、該溝内に、横方向で前記リンクプレートの前記切欠きを越えて延びかつ前記リンクプレートの側面に被さるばねエレメントとして形成された前記位置固定構成部分が挿入されていることを特徴とする、リンクプレートチェーン。
【請求項２】
位置固定構成部分が、当該リンクプレートチェーンに側方で被さる全体的にＵ字形の位置固定部材として形成されており、該位置固定部材の脚部が、切欠きを有しており、該切欠きから、それぞれ１つのクレードルピン対の端面が突出しており、切欠きが、クレードルピンに係合して該クレードルピンの側方へのずれを防止している、請求項１記載のリンクプレートチェーン。
【請求項３】
位置固定部材が、薄板部分として形成されている、請求項２記載のリンクプレートチェーン。
【請求項４】
脚部の切欠きが、突出部を有しており、該突出部が、クレードルピンの切欠きに係合するようになっている、請求項２または３記載のリンクプレートチェーン。
【請求項５】
ばねエレメントが、円形ブラケットを介して弾性的に互いに離れる方向にプレロードをかけられた２つのアームを備えて形成されており、両アームが、湾曲させられて形成された溝内に収容されていて、横方向で切欠きを越えて延びるている、請求項１記載のリンクプレートチェーン。
【請求項６】
ばねエレメントが、その端部で曲げられたフックとして形成されている、請求項１記載のリンクプレートチェーン。
【請求項７】
位置固定構成部分が、最外のリンクプレートの外面に固定されていて、リンクプレートの切欠きを、該切欠きから突出する両クレードルピン対の間で閉鎖しており、位置固定構成部分に隣接するクレードルピンに設けられた位置固定付設部が、位置固定構成部分にオーバラップしており、それぞれ外側のクレードルピンに取り付けられた位置固定付設部が、切欠きの縁部にオーバラップしている、請求項１記載のリンクプレートチェーン。
【請求項８】
位置固定構成部分が、薄板打抜き部分である、請求項７記載のリンクプレートチェーン。
【発明の詳細な説明】
【０００１】
【発明の属する技術分野】
本発明は、無段式に調節可能な円錐形ディスク式巻掛け伝動装置のためのリンクプレートチェーンであって、当該リンクプレートチェーンのリンクプレートが、チェーンの長手方向で互いにずらされて配置されたリンクプレートの、互いにオーバラップする切欠き内に押し込まれた、それぞれ対で配置されたクレードルピンを介して互いにジョイント式に結合されており、両クレードルピンの、互いに反対の側に位置する面が、切欠きの内縁部に形状接続的に係合しており、両クレードルピンの、互いに向かい合って位置する面が、転がり面を形成しており、両転がり面が、当該リンクプレートチェーンの曲がり時に互いに転がり合うようになっており、円錐形ディスクの円錐面に接触するための、クレードルピンの、リンクプレートから側方で突出する端面が設けられており、クレードルピンまたはそれぞれ最外のリンクプレートが、付設部を備えており、該付設部が、当該リンクプレートチェーンからのクレードルピンの側方への落下を防止している形式のものに関する。
【０００２】
さらに、本発明は、無段式に調節可能な円錐形ディスク式巻掛け伝動装置のためのリンクプレートチェーンであって、当該リンクプレートチェーンのリンクプレートが、チェーンの長手方向で互いにずらされて配置されたリンクプレートの、互いにオーバラップする切欠き内に押し込まれた、それぞれ対で配置されたクレードルピンを介して互いにジョイント式に結合されており、両クレードルピンの、互いに反対の側に位置する面が、切欠きの内縁部に形状接続的に係合しており、両クレードルピンの、互いに向かい合って位置する面が、転がり面を形成しており、両転がり面が、当該リンクプレートチェーンの曲がり時に互いに転がり合うようになっており、円錐形ディスクの円錐面に接触するためのクレードルピンの、リンクプレートから側方で突出する端面が設けられており、当該リンクプレートチェーンからのクレードルピンの側方への落下が防止されている形式のものに関する。
【０００３】
【従来の技術】
冒頭で述べた形式のリンクプレートチェーンは、たとえばドイツ連邦共和国特許出願公開第３０２７８３４号明細書に基づき公知である。このようなリンクプレートチェーンによって実際に生ぜしめられる問題は、チェーンの屈曲角度が、予め規定された尺度を上回った場合に、リンクプレートが揺動押圧片もしくはクレードルピンに対して相対的に側方に移動し得るかまたはクレードルピンまでもが側方でチェーンから落下し得るという点にある。これによって、クレードルピンの位置固定のためにクレードルピンに設けられた付設部が、所属のリンクプレートの切欠きにもはや背後から係合しないので、リンクプレートチェーンの機能性を侵害する、クレードルピンの、リンクプレートに対して相対的な側方へのずれが可能となってしまう。
【０００４】
【発明が解決しようとする課題】
本発明の課題は、冒頭で述べた形式のリンクプレートチェーンを改良して、屈曲角度が著しく大きい場合でも、クレードルピンがリンクプレートに対して相対的に側方にずれ、これによって、チェーンの機能性が侵害されるという危険がないようにすることである。
【０００５】
【課題を解決するための手段】
この課題を解決するために本発明の構成では、互いに向かい合って位置する両転がり面のそれぞれ一方に突出部が設けられており、該突出部が、それぞれ他方の転がり面に形成された切欠き内に係合していて、対で配置されたクレードルピンの側方への相互のずれを防止しているようにした。
【０００６】
さらに、この課題を解決するために本発明の構成では、当該リンクプレートチェーンからのクレードルピンの側方への落下を防止するための付加的な位置固定構成部分が設けられているようにした。
【０００７】
従属請求項３〜１０によって、請求項２記載のリンクプレートチェーンの有利な構成および改良形が特徴付けられている。
【０００８】
【発明の実施の形態】
以下に、本発明の実施の形態を図面につき詳しく説明する。
【０００９】
図１には、構造に関して自体公知であるリンクプレートチェーンの３つのリンクプレート２，４，６が側面図で示してある。リンクプレート２は最外のリンクプレートであり、リンクプレート４，６は、最外のリンクプレート２にそれぞれ側方で隣接するリンクプレートである。両リンクプレート４，６は、最外のリンクプレート２に対して相対的に長手方向にずらされて配置されている。各リンクプレートは１つの孔もしくは１つの切欠き８を有している。この切欠き８は、それぞれ２つのクレードルピン対１０によって貫通されている。図１から明らかであるように、両リンクプレート２，４は左側のクレードルピン対を介してリンクプレートチェーンの長手方向で互いに結合されており、両リンクプレート２，６は右側のクレードルピン対を介してリンクプレートチェーンの長手方向で互いに結合されている。この場合、リンクプレートチェーンの長手方向で有効な引張り時には、左側のクレードルピン対１０の左側のクレードルピン１２はリンクプレート２の切欠き８の左側の内縁部に支持されていて、右側のクレードルピン対１０の右側のクレードルピン１４はリンクプレート２の切欠き８の右側の内縁部に支持されている。左側のクレードルピン対１０の右側のクレードルピン１４はリンクプレート４の切欠き８の右側の内縁部に支持されているのに対して、右側のクレードルピン対１０の左側のクレードルピン１２はリンクプレート６の切欠き８の左側の内縁部に支持されている。クレードルピン１２，１４の外面は、各切欠きの内面に形状接続的（ｆｏｒｍｓｃｈｌｕｅｓｓｉｇ）にもしくは回動不能に係合して位置するようにそれぞれ形成されている。リンクプレート２，４；２，６がリンクプレートチェーンの曲がり時に相互に回動すると、クレードルピン１２，１４の、相互に接触するように互いに向かい合って位置する面に形成された転がり面１６，１８が互いに転がり合う。
【００１０】
最外のリンクプレート２に回動不能に係合するクレードルピン、すなわち、図１の左側のクレードルピン１２および右側のクレードルピン１４には、それぞれ１つの位置固定付設部２０が形成されている。この位置固定付設部２０は、切欠き８の縁部もしくはリンクプレート２の側面に被さっていて、各クレードルピンの、リンクプレート２に対して相対的な側方へのずれを防止している。
【００１１】
左側のクレードルピン対１０のクレードルピン１４もしくは右側のクレードルピン対１０の左側のクレードルピン１２に設けられた相応の位置固定付設部では、リンクプレートチェーンが曲がる場合の前記クレードルピンとリンクプレート２との間の相対回動時に、位置固定付設部がリンクプレート２の切欠き８の縁部にもはや被さっておらず、これによって、各クレードルピンの、リンクプレート２に対して相対的な側方へのずれが防止されないという危険がある。この問題を排除するために、本発明によれば、左側のクレードルピン対１０のクレードルピン１２の転がり面１６に突起もしくは突出部２２（図２参照）が形成されている。この突出部２２は、向かい合って位置するクレードルピン１４の転がり面１８に形成された溝もしくは切欠き２４内に係合している。突出部と切欠きとは、両転がり面１６，１８がさらに互いに転がり合うことができるように形成されていることが分かった。さらに、切欠き２４は、リンクプレートチェーンの側方への両クレードルピン１２，１４の相互のずれを著しく制限してのみ許容するかまたは阻止するように形成されている（図３参照）。突出部２２は、たとえば転がり面１６に溶着されていてもよいし、製造時に直接にクレードルピンに一体に加工成形されてもよい。同じく切欠きも追補的に製造されてもよいし、クレードルピンの製造時に加工成形されてもよい。
【００１２】
突出部と切欠きとは、それぞれ他方のクレードルピンに形成することができ、図１の右側のクレードルピン対１０は相応の形式で形成されていることが分かった。
【００１３】
位置固定付設部２０の慣用の製造法、たとえば溶着では、各クレードルピンに冶金的な弱化部が形成される。さらに、位置固定付設部のための材料選択は制限されている。なぜならば、クレードルピンとの良好な溶接性が存在しなければならないからである。
【００１４】
このような位置固定付設部が不要となる位置固定を図４〜図８につき説明する。
【００１５】
この構成では、クレードルピン１２，１４の、リンクプレートに対して相対的な側方へのずれはＵ字形の位置固定部材３０によって防止される。この位置固定部材３０はリンクプレートチェーンにウェブ３２によって被さっており、位置固定部材３０の脚部３４は切欠き３６を備えて形成されている。この切欠き３６は、それぞれ最外のリンクプレート２（図６参照）から突出するクレードルピン対１０の端部領域によってそれぞれ貫通される。クレードルピン１２，１４の、互いに反対の側に位置する側面には、斜めに面取りされた切欠き３８が形成されている。この切欠き３８には、切欠き３６の縁部に形成されている突出部４０が係合する。クレードルピンの横断面に全体的に適合された切欠き３６のこの形状によって、クレードルピン１２，１４は切欠きをその都度貫通することができるものの、クレードルピン１２，１４の側方へのずれは防止されていることが達成される。なぜならば、クレードルピン１４が位置固定部材３０に対して側方にずれる場合に、突出部４０が切欠き３８の、斜めに面取りされた底面に接触するからである。位置固定部材３０はリンクプレートチェーンに失われないようにかつ不動に保持されている。
【００１６】
クレードルピンがリンクプレートチェーン内に挿入されている場合にＵ字形の位置固定部材３０をリンクプレートチェーンに取り付けることができるように、位置固定部材は特にウェブ３２の領域で弾性的に可撓性に形成されており、これによって、位置固定部材は弾性的な曲拡げにより被せることができ、その後、ばね弾性的な戻りによって切欠き内のクレードルピンを収容する。
【００１７】
突出部４０と切欠き３８とは、その都度別の適切な形状で形成されていてよいことが分かった。この場合、切欠き３８は斜めに面取りされている必要はない。Ｕ字形の位置固定部材３０は、有利には、切欠き３６が打ち抜かれている単純な薄板部分である。
【００１８】
Ｕ字形の位置固定部材３０によって得られる別の利点は、この位置固定部材がリンクプレートチェーンのジョイントガイドを引き受けることができる点にある。なぜならば、位置固定部材の切欠きは、クレードルピン対を全体的に密に取り囲むように形成することができるからである。この場合、切欠きの形状は、クレードルピンがチェーンの曲がり時に互いに転がり合うように設定することができる。
【００１９】
図９〜図１１には、位置固定手段の別の構成が示してある。この構成では、クレードルピン１２，１４の、最外のリンクプレート２から突出する端部領域が、転がり面１６，１８を形成する、互いに向かい合って位置する側面の領域に溝４２，４４を備えている。この溝４２，４４はクレードルピンの全高さにわたって延びている。互いに向かい合って位置する溝４２，４４内には、たとえばばね鋼線材から成るばねエレメント４６が押し込まれている。このばねエレメント４６はその端部領域でリンクプレート２の外側の側面に被さっている。ばねエレメント４６は、それぞれ互いに向かい合って位置する２つのアーム４８を有している。両アーム４８は、一体に形成された円形ブラケット（Ｒｕｎｄｂｕｅｇｅｌ）５０を互いに結合していて、互いに離れる方向で弾性的に予荷重もしくはプレロードをかけられている。溝４２，４４は全体的に外方に湾曲させられて形成されている。この場合、アーム４８の形状は溝の形状に適合されているので、溝の底部に対して弾性的にプレロードをかけられているばねエレメント４６は溝内に確実に保持される。溝内へのばねエレメントの挿入は、各ばねエレメントが、アーム４８の、互いに閉鎖する端部領域で、互いに向かい合って位置する溝４２，４４によって形成された通路内に押し込まれることによって簡単に行うことができる。この場合、まず、ばねエレメントは内方に曲げられ、その後、ばねエレメントは拡開して溝内に係止する。
【００２０】
図１２には、位置固定エレメント、たとえばばねエレメントの、変えられた構成が示してある。このばねエレメントは一腕状のフック５４として形成されている。このフック５４の端部領域５６，５８は、有利には逆方向で曲げられていて、プレロードをかけられてまたはプレロードをかけられることなしにそれぞれ１つのクレードルピン１２；１４を取り囲んでいる。溝４２，４４の形状は、フック５４が、クレードルピン１２，１４の相互の転がり位置とは無関係に少なくとも部分的に各溝４２，４４内に収容されているようにフック５４の横断面に適合されているので、クレードルピンはフック５４によって確実に保持されている。クレードルピン１２，１４が互いに相互に回動する場合には、フック５４が場合によっては一緒に変形させられる。フック５４の、曲げられた端部領域５６，５８は、クレードルピン１２，１４に形成された切欠き内に付加的に係合することができる。
【００２１】
位置固定手段の別の構成を図１３および図１４につき詳しく説明する。図１３に示した位置固定手段が使用されるリンクプレートチェーンでは、クレードルピン対１０のクレードルピン１２，１４に、図１につき説明したような位置固定付設部２０が設けられている。それぞれ外側のクレードルピンに対する内側のクレードルピンの転がり時でも、それぞれ内側のクレードルピンの位置固定付設部２０の機能が保たれるように、チェーンの幅方向で見てそれぞれ最外のリンクプレート２の外面に位置固定構成部分６０が固定されている。単純な薄板打抜き部分であってよい位置固定構成部分６０はベース部分６２で、切欠き８の、両クレードルピン対１０の間に自由に残る空間を覆っている。ベース部分６２からはアーム６４が延びている。このアーム６４は、リンクプレート２の外面に、たとえば接着または別の何らかの方法で機械的に固定されている。ベース部分６２の外側輪郭は、このベース部分６２に隣接するクレードルピンの位置固定付設部２０が、回動位置とは無関係に位置固定構成部分６０にオーバラップしていて、こうして、ずれに対して確実に保持されているように成形されている。それぞれ１つの位置固定構成部分が最外の各リンクプレートに取り付けられていることが分かった。図５のＵ字形の位置固定部材３０と同様に位置固定構成部分６０もリンクプレートチェーンのジョイントガイドを引き受けることができる。位置固定構成部分６０はその都度適切な形状で形成されていてよい。この場合、位置固定構成部分は位置固定付設部２０の機能を保証していて、リンクプレートにオーバラップしている。
【００２２】
本発明は、それぞれ側方で次の次（２つ先）で隣接するリンクプレートが互いに対応しているリンクプレートチェーン、またはリンクプレート配置が、それぞれ隣接する３つのリンクプレートの後に繰り返されているリンクプレートチェーン、またはそれぞれ１つのクレードルピン対が配置されているそれぞれ２つの切欠きを備えたリンクプレートを有しているリンクプレートチェーン等の全く異なるリンクプレートチェーンのために使用することができる。
【００２３】
本発明は、図示の実施例に限定されるものではない。それどころか、本発明の枠内で多数の変化実施例が可能となる。
【図面の簡単な説明】
【図１】リンクプレートチェーンの第１の構成の側面図である。
【図２】図１に示した部分ＩＩの拡大図である。
【図３】図１のＩＩＩ−ＩＩＩ平面に沿って断面した図１の詳細図である。
【図４】位置固定手段の別の構成のクレードルピンが収容されるＵ字形の位置固定部材の側面図である。
【図５】Ｕ字形の位置固定部材の斜視図である。
【図６】リンクプレートチェーンの部分横断面図内のクレードルピンの位置固定手段の概略図である。
【図７】Ｕ字形の位置固定部材と相俟って使用されるようなクレードルピンの斜視図である。
【図８】図５に示したＵ字形の位置固定部材の部分拡大図である。
【図９】位置固定手段の別の構成を備えたリンクプレートチェーンの側面図である。
【図１０】Ｘ−Ｘ平面に沿って断面した図１１の断面図である。
【図１１】図９に示したリンクプレートチェーンの平面図である。
【図１２】位置固定手段の別の構成を備えたリンクプレートチェーンの側面図である。
【図１３】位置固定手段の、変えられた構成を備えたリンクプレートの側面図である。
【図１４】ＸＩＶ−ＸＩＶ平面に沿って断面した図１３の断面図である。
【符号の説明】
２  リンクプレート、  ４  リンクプレート、  ６  リンクプレート、  ８  切欠き、  １０  クレードルピン対、  １２  クレードルピン、  １４  クレードルピン、  １６  転がり面、  １８  転がり面、  ２０  位置固定付設部、  ２２  突出部、  ２４  切欠き、  ３０  位置固定部材、  ３２  ウェブ、  ３４  脚部、  ３６  切欠き、  ３８  切欠き、  ４０  突出部、  ４２  溝、  ４４  溝、  ４６  ばねエレメント、  ４８  アーム、  ５０  円形ブラケット、  ５４  フック、  ５６  端部領域、  ５８  端部領域、  ６０  位置固定構成部分、  ６２  ベース部分、  ６４  アーム
【図１】
0004780368.tif 000002
【図２】
0004780368.tif 000003
【図３】
0004780368.tif 000004
【図４】
0004780368.tif 000005
【図５】
0004780368.tif 000006
【図６】
0004780368.tif 000007
【図７】
0004780368.tif 000008
【図８】
0004780368.tif 000009
【図９】
0004780368.tif 000010
【図１０】
0004780368.tif 000011
【図１１】
0004780368.tif 000012
【図１２】
0004780368.tif 000013
【図１３】
0004780368.tif 000014
【図１４】
0004780368.tif 000015